(57)【要約】      （修正有）【課題】クリーム等の吐出の使用融通性を高めることができ、各部材を容易に作製することができるクリーム絞り出し具を提供する。【解決手段】クリーム類を収納可能な収納筒体１と、収納筒体の先端部に設けられ、クリーム類を吐出可能な吐出口２ａが形成されたノズル体２と、収納筒体内に摺動自在に設けられた押出体からなり、収納筒体は半径方向に拡縮変形可能な弾性材Ｄからなる。【選択図】図１
0003152791.tif 000002
【実用新案登録請求の範囲】
【請求項１】
クリーム類を収納可能な収納筒体と、該収納筒体の先端部に設けられ、クリーム類を吐出可能な吐出口が形成されたノズル体と、該収納筒体内に摺動自在に設けられた押出体からなり、上記収納筒体は半径方向に拡縮変形可能な弾性材からなることを特徴とするクリーム絞り出し具。
【請求項２】
上記ノズル体は有底筒状に形成され、上記ノズル体の先端部には先端上がりの平坦斜面が形成され、該平坦斜面に上記吐出口が形成されていることを特徴とする請求項１記載のクリーム絞り出し具。
【請求項３】
上記押出体の基部には上記収納筒体の基端部に当接可能なストッパー部が形成され、該ストッパー部は角形状に形成されていることを特徴とする請求項１又は２記載のクリーム絞り出し具。
【請求項４】
上記押出体の先端部には上記ノズル体の内周面に摺動可能な突出部が設けられていることを特徴とする請求項１〜３のいずれか１項に記載のクリーム絞り出し具。
【請求項５】
上記収納筒体と上記ノズル体とは螺子結合により着脱自在に設けられていることを特徴とする請求項１〜４のいずれか１項に記載のクリーム絞り出し具。
【請求項６】
上記収納筒体、上記ノズル体及び上記押出体は合成樹脂からなることを特徴とする請求項１〜５のいずれか１項に記載のクリーム絞り出し具。
【考案の詳細な説明】
【技術分野】
【０００１】
本考案は、例えば、生クリームを泡立てたホイップクリームやバタークリームなどのクリーム類を用いてケーキなどの洋菓子の表面に文字や模様などを描いてデコレーション飾りを施す際に用いられるクリーム絞り出し具に関するものである。
【背景技術】
【０００２】
従来、この種のクリーム絞り出し具として、クリーム類を収納可能な絞出袋と、絞出袋の先端部に止着され、クリーム類を吐出可能な吐出口が形成されたノズル体とを備えてなる構造のものが知られている。
【先行技術文献】
【特許文献】
【０００３】
【特許文献１】特許第２８６９６２５号公報
【考案の概要】
【考案が解決しようとする課題】
【０００４】
しかしながらこれら従来構造の場合、クリーム類を収納した絞出袋を手で握って、絞出袋内のクリーム類をノズル体の吐出口から吐出することになり、絞出袋の握りの力加減で吐出量を調節ことになり、このため、ケーキなどの洋菓子の表面に精細な文字や模様などを描いてデコレーション飾りを施すことが困難なことがあるという不都合を有している。
【課題を解決するための手段】
【０００５】
本考案はこのような不都合を解決することを目的とするもので、本考案のうち、請求項１記載の考案は、クリーム類を収納可能な収納筒体と、該収納筒体の先端部に設けられ、クリーム類を吐出可能な吐出口が形成されたノズル体と、該収納筒体内に摺動自在に設けられた押出体からなり、上記収納筒体は半径方向に拡縮変形可能な弾性材からなることを特徴とするクリーム絞り出し具にある。
【０００６】
又、請求項２記載の考案は、上記ノズル体は有底筒状に形成され、上記ノズル体の先端部には先端上がりの平坦斜面が形成され、該平坦斜面に上記吐出口が形成されていることを特徴とするものであり、又、請求項３記載の考案は、上記押出体の基部には上記収納筒体の基端部に当接可能なストッパー部が形成され、該ストッパー部は角形状に形成されていることを特徴とするものであり、又、請求項４記載の考案は、上記押出体の先端部には上記ノズル体の内周面に摺動可能な突出部が設けられていることを特徴とするものであり、又、請求項５記載の考案は、上記収納筒体と上記ノズル体とは螺子結合により着脱自在に設けられていることを特徴とするものであり、又、請求項６記載の考案は、上記収納筒体、上記ノズル体及び上記押出体は合成樹脂からなることを特徴とするものである。
【考案の効果】
【０００７】
本考案は上述の如く、請求項１記載の考案にあっては、収納筒体の先端部にノズル体を設け、収納筒体内にクリーム類を収納した後、収納筒体内に押出体を摺動自在に嵌入し、デコレーションケーキの表面にノズル体を対向して、収納筒体を移動しながら押出体を押動することでクリーム類を吐出口から吐出してクリーム類により文字や模様などを描くことができ、かつ、収納筒体は半径方向に拡縮変形可能な弾性材からなるので、ペンを持つように把持し、収納筒体を指で半径方向に弾圧することによりクリーム類を吐出口から絞り出し吐出させることができ、ペンを持つようにして把持弾圧することによりクリーム類により精細な文字や模様などを描くこともでき、それだけ、見栄えのするデコレーション飾りを施すことができ、使用状態に応じて、押出体の押動または収納筒体の把持弾圧動作を選択することができ、クリーム類の吐出の使用融通性を高めることができる。
【０００８】
又、請求項２記載の考案にあっては、上記ノズル体は有底筒状に形成され、上記ノズル体の先端部には先端上がりの平坦斜面が形成され、平坦斜面に上記吐出口が形成されているので、ノズル体と被飾体との相対位置を容易に認識することができ、クリーム類の吐出位置を正確に位置決めすることができ、又、請求項３記載の考案にあっては、上記押出体の基部には上記収納筒体の基端部に当接可能なストッパー部が形成され、ストッパー部は角形状に形成されているから、不使用時に調理台やテーブルなどの平坦な面上においても転がり落ちることを防ぐことができ、使用の利便性を高めることができ、又、請求項４記載の考案にあっては、押出体の先端部にはノズル体の内周面に摺動可能な突出部が設けられているから、ノズル体内のクリーム類を吐出することができ、経済性を高めることができ、又、請求項５記載の考案にあっては、上記収納筒体と上記ノズル体とは螺子結合により着脱自在に設けられているから、収納筒体から上記ノズル体を取り外すことにより収納筒体及びノズル体内の洗浄を容易に行うことができ、又、請求項６記載の考案にあっては、上記収納筒体、上記ノズル体及び上記押出体は合成樹脂からなるので、各部材を容易に製作することができると共に軽量化を図ることができる。
【図面の簡単な説明】
【０００９】
【図１】本考案の実施の形態例の全体斜視図である。
【図２】本考案の実施の形態例の分解斜視図である。
【図３】本考案の実施の形態例の断面図である。
【図４】本考案の実施の形態例の横断面図である。
【図５】本考案の実施の形態例の使用状態図である。
【図６】本考案の実施の形態例の使用状態図である。
【図７】本考案の実施の形態例の使用状態図である。
【考案を実施するための形態】
【００１０】
図１乃至図７は本考案の実施の形態例を示し、１は収納筒体であって、円筒状にして、半径方向に拡縮変形可能な弾性材Ｄからなり、この弾性材Ｄとして、例えば、シリコン樹脂、エラストマー樹脂などの合成樹脂からなる弾性材が用いられ、例えば、図７の如く、収納筒体１の内部に計量カップＣ等を用いて、ホイップクリームやバタークリームなどのクリーム類Ｗが充填される。
【００１１】
２はノズル体であって、合成樹脂製にして、上記収納筒体１の先端部に設けられ、上記クリーム類Ｗを吐出可能な吐出口２ａが形成され、この場合、上記ノズル体２の先端部には先端上がりの平坦斜面２ｂが形成され、この平坦斜面２ｂに上記吐出口２ａが形成され、かつ、この場合、収納筒体１とノズル体２とは螺子結合Ｒにより着脱自在に設けられている。
【００１２】
３は押出体であって、合成樹脂製にして、上記収納筒体１内に摺動自在に設けられ、この場合、押出体３の基部には上記収納筒体１の基端部に当接可能なストッパー部３ａが一体に形成され、ストッパー部３ａは四角形状の角形状に形成され、ストッパー部３ａにカバー３ｂが嵌着され、かつ、押出体３の先端部にはノズル体２の内周面に摺動可能な突出部３ｃが設けられている。
【００１３】
この実施の形態例は上記構成であるから、図７の如く、収納筒体１の先端部にノズル体２を設け、収納筒体１内にクリーム類を収納した後、収納筒体１内に押出体を摺動自在に嵌入し、例えば、図５の如く、デコレーションケーキＫの表面にノズル体２を対向して、収納筒体１を移動しながら押出体３を押動することでクリーム類Ｗを吐出口２ａから吐出してクリーム類Ｗにより文字や模様などを描くことができ、かつ、収納筒体１は半径方向に拡縮変形可能な弾性材Ｄからなるので、図６の如く、ペンを持つように把持し、収納筒体１を指で半径方向に弾圧することによりクリーム類Ｗを吐出口２ａから絞り出し吐出させることができ、ペンを持つようにして把持弾圧することによりクリーム類Ｗにより精細な文字や模様などを描くこともでき、それだけ、見栄えのするデコレーション飾りを施すことができ、使用状態に応じて、押出体３の押動または収納筒体１の把持弾圧動作を選択することができ、クリーム類の吐出の使用融通性を高めることができる。
【００１４】
又、この場合、上記ノズル体２は有底筒状に形成され、上記ノズル体２の先端部には先端上がりの平坦斜面２ｂが形成され、平坦斜面２ｂに上記吐出口２ａが形成されているので、ノズル体２と被飾体たるケーキＫとの相対位置を容易に認識することができ、クリーム類Ｗの吐出位置を正確に位置決めすることができ、又、この場合、上記押出体３の基部には上記収納筒体１の基端部に当接可能なストッパー部３ａが形成され、ストッパー部３ａは角形状に形成されているから、不使用時に調理台やテーブルなどの平坦な面上においても転がり落ちることを防ぐことができ、使用の利便性を高めることができ、又、この場合、押出体３の先端部にはノズル体２の内周面に摺動可能な突出部３ｃが設けられているから、ノズル体２内のクリーム類Ｗを吐出することができ、経済性を高めることができ、又、この場合、上記収納筒体１と上記ノズル体２とは螺子結合Ｒにより着脱自在に設けられているから、収納筒体１から上記ノズル体２を取り外すことにより収納筒体１及びノズル体２内の洗浄を容易に行うことができ、又、この場合、上記収納筒体１、上記ノズル体２及び上記押出体３は合成樹脂からなるので、各部材を容易に製作することができると共に軽量化を図ることができる。
【００１５】
尚、本考案は上記の形態例に限られるものではなく、上記収納筒体１、ノズル体２、押出体３の大きさや形状、構造等は適宜変更して設計される。
【００１６】
以上の如く、所期の目的を充分達成することができる。
【符号の説明】
【００１７】
Ｄ    弾性材
Ｗ    クリーム類
Ｒ    螺子結合
１    収納筒体
２    ノズル体
２ａ    吐出口
２ｂ    平坦斜面
３    押出体
３ａ    ストッパー部
３ｃ    突出部
【図１】
0003152791.tif 000003
【図２】
0003152791.tif 000004
【図３】
0003152791.tif 000005
【図４】
0003152791.tif 000006
【図５】
0003152791.tif 000007
【図６】
0003152791.tif 000008
【図７】
0003152791.tif 000009